(57)【特許請求の範囲】
【請求項１】
測定データをレポートテンプレートに流し込みレポートを作成するデータ分析処理装置において、
表示画面と、
測定データを基にユーザに図表を作成させる図表作成手段と、
前記図表作成手段で作成された複数の図表を前記表示画面上に表示させ、表示された前記複数の図表の各々の形態、サイズ、及び前記複数の図表のレイアウトをユーザに設定させることにより、前記表示画面上に表示された前記複数の図表全てから成る画面イメージを作成させる画面イメージ作成手段と、
前記表示画面上の表示物を出力する出力媒体のサイズ及び形状を設定させる出力媒体設定手段と、
前記画面イメージ作成手段により作成された画面イメージを保持しつつ、前記出力媒体設定手段で設定された出力媒体のサイズ及び形状に適合するレポートテンプレートファイルを作成するレポートテンプレートファイル自動作成手段と、
を有することを特徴とするデータ分析処理装置。
【請求項２】
試料の測定を行う試料測定部と、
前記試料測定部で得られた測定データをレポートテンプレートに流し込みレポートを作成するデータ分析処理部と、
を有し、
前記データ分析処理部は、
表示画面と、
測定データを基にユーザに図表を作成させる図表作成手段と、
前記図表作成手段で作成された複数の図表を前記表示画面上に表示させ、表示された前記複数の図表の各々の形態、サイズ、及び前記複数の図表のレイアウトをユーザに設定させることにより、前記表示画面上に表示された前記複数の図表全てから成る画面イメージを作成させる画面イメージ作成手段と、
前記表示画面上の表示物を出力する出力媒体のサイズ及び形状を設定させる出力媒体設定手段と、
前記画面イメージ作成手段により作成された画面イメージを保持しつつ、前記出力媒体設定手段で設定された出力媒体のサイズ及び形状に適合するレポートテンプレートファイルを作成するレポートテンプレートファイル自動作成手段と、
を有することを特徴とする試料測定装置。
【請求項３】
表示画面と、前記表示画面上に表示される表示物を出力媒体に出力する出力手段とを備え、測定データをレポートテンプレートに流し込んでレポートを作成する機能を備えるコンピュータに、
測定データを基にユーザに図表を作成させる図表作成機能と、
前記図表作成機能によって作成された複数の図表を前記表示画面上に表示させ、表示された前記複数の図表の各々の形態、サイズ及び前記複数の図表のレイアウトをユーザに設定させることにより、前記表示画面上に表示された前記複数の図表全てから成る画面イメージを作成させる画面イメージ作成機能と、
前記画面イメージ作成手段により作成された画面イメージを保持しつつ、前記出力媒体のサイズ及び形状に適合するレポートテンプレートファイルを作成するレポートテンプレートファイル自動作成機能と、
を実現させることを特徴とするプログラム。
【発明の詳細な説明】
【技術分野】
【０００１】
本発明は、試料測定機器によって取得された試料測定データを分析処理するデータ分析処理装置、及びデータ分析処理プログラムに関する。
【背景技術】
【０００２】
現在、試料測定機器の多くはコンピュータ制御されており、該測定機器専用ソフトウェアを使用することによって試料測定の制御や測定の結果取得されたデータの分析処理が行われている。
試料測定機器によって取得された試料測定データは、グラフ化されたり表にまとめられたりした上でレポートとして出力されることによって結果の分析が行われる。そこで、多くの測定機器専用ソフトウェアにはレポート作成機能も組み込まれている。
【０００３】
レポート作成機能とは、１つのレポートに表示させたいグラフ、表、その他の項目を同一画面上に同時に表示させ、それらの表示形式やサイズ・形状、及びレイアウトをレポート用紙、又はレポート画面のサイズ・形状に合わせてユーザが自由に設定することができる機能である。
【０００４】
測定機器で取得した測定データを基に同一形式のレポートを複数作成する場合、レポートの形式を規定するレポートテンプレートを利用すると、ユーザが各レポート毎に形式（フォーム）を設定するという手間を省くことができる。ここでレポートテンプレートとは、レポート用紙やレポート画面のサイズ・形状に合わせ、表示させたいグラフ、表、その他の項目（以下、レポートオブジェクトという）のそれぞれのサイズ・形状・表示形式、レポートオブジェクト同士のレイアウト等を規定したフォームである。一つのレポートテンプレートを作成すれば、そのレポートテンプレートに複数の測定データセットを流し込むだけで、複数のレポートを作成することができる。ユーザの便宜のため、レポート作成機能は予め測定機器メーカー側の用意したテンプレート集を含むことが多い。
【０００５】
しかし、既存のテンプレート集にユーザのニーズに合致するものが含まれているとは限らないため、レポート作成機能はテンプレート作成機能も含むことが多い。従来、ユーザはかかるテンプレート作成機能を使用し、所望のレポートテンプレートを自分で作成していた（特許文献１）。
【先行技術文献】
【特許文献】
【０００６】
【特許文献１】特開2004-94386号公報
【発明の概要】
【発明が解決しようとする課題】
【０００７】
ここで、レポートテンプレートの作成作業について説明する。ユーザは、画面上で、所望のレポート用紙、またはレポート画面の形状・サイズに合わせ、表示させたいレポートオブジェクトを適宜配置し、各レポートオブジェクトのサイズ、形状を設定する。このとき、各レポートオブジェクト同士の位置合わせや間隔にも厳密に気を配らなければならず、一つのレポートテンプレートを作成するにはかなりの労力を要する。その上、同様のイメージのままでレポート出力用紙のサイズや形状を変更したり、新たな表示項目を表示させるスペースを設けようとする場合には、それに応じたレポートテンプレートを新たに作成しなければならない。このような作業はユーザにとって大きな負担となっていた。
【０００８】
本発明は上記の問題に鑑みて成されたものであり、試料測定機器から取得された測定データに基づくレポート作成の手間を削減することを課題とする。
【課題を解決するための手段】
【０００９】
上記課題を解決するために成された本発明の第一の態様に係るデータ分析処理装置は、  測定データをレポートテンプレートに流し込みレポートを作成するデータ分析処理装置において、
表示画面と、
測定データを基にユーザに図表を作成させる図表作成手段と、
前記図表作成手段で作成された複数の図表を前記表示画面上に表示させ、表示された前記複数の図表の各々の形態、サイズ、及び前記複数の図表のレイアウトをユーザに設定させることにより、前記表示画面上に表示された前記複数の図表全てから成る画面イメージを作成させる画面イメージ作成手段と、
前記表示画面上の表示物を出力する出力媒体のサイズ及び形状を設定させる出力媒体設定手段と、
前記画面イメージ作成手段により作成された画面イメージを保持しつつ、前記出力媒体設定手段で設定された出力媒体のサイズ及び形状に適合するレポートテンプレートファイルを作成するレポートテンプレートファイル自動作成手段と、
を有することを特徴とする。
【００１０】
上記課題を解決するために成された本発明の第二の態様に係る試料測定装置は、
試料の測定を行う試料測定部と、
前記試料測定部で得られた測定データをレポートテンプレートに流し込みレポートを作成するデータ分析処理部と、
を有し、
前記データ分析処理部は、
表示画面と、
測定データを基にユーザに図表を作成させる図表作成手段と、
前記図表作成手段で作成された複数の図表を前記表示画面上に表示させ、表示された前記複数の図表の各々の形態、サイズ、及び前記複数の図表のレイアウトをユーザに設定させることにより、前記表示画面上に表示された前記複数の図表全てから成る画面イメージを作成させる画面イメージ作成手段と、
前記表示画面上の表示物を出力する出力媒体のサイズ及び形状を設定させる出力媒体設定手段と、
前記画面イメージ作成手段により作成された画面イメージを保持しつつ、前記出力媒体設定手段で設定された出力媒体のサイズ及び形状に適合するレポートテンプレートファイルを作成するレポートテンプレートファイル自動作成手段と、
を有することを特徴とする。
【００１１】
上記課題を解決するために成された本発明の第三の態様に係るプログラムは、
表示画面と、前記表示画面上に表示される表示物を出力媒体に出力する出力手段とを備え、測定データをレポートテンプレートに流し込んでレポートを作成する機能を備えるコンピュータに、
測定データを基にユーザに図表を作成させる図表作成機能と、
前記図表作成機能によって作成された複数の図表を前記表示画面上に表示させ、表示された前記複数の図表の各々の形態、サイズ及び前記複数の図表のレイアウトをユーザに設定させることにより、前記表示画面上に表示された前記複数の図表全てから成る画面イメージを作成させる画面イメージ作成機能と、
前記画面イメージ作成手段により作成された画面イメージを保持しつつ、前記出力媒体のサイズ及び形状に適合するレポートテンプレートファイルを作成するレポートテンプレートファイル自動作成機能と、
を実現させることを特徴とする。
【発明の効果】
【００１２】
本発明に係るデータ分析処理装置、試料測定装置、及びデータ分析プログラムによると、ユーザが予め設定した画面イメージを基に、レポート出力媒体（レポート用紙、又はレポート画面）の形状・サイズに合わせたレポートテンプレートが自動的に作成される。従って、ユーザは自分でレポートテンプレートを作成する必要はなく、画面イメージを作成するだけでよい。これにより、レポートテンプレート作成時に必要な、出力媒体の形状・サイズに合わせるという作業を完全に省くことができる。また、同様の画面イメージで出力媒体の形状・サイズが異なる複数のレポートテンプレートを極めて容易に作成することができる。
【００１３】
通常、ユーザは試料の測定が終わると、レポート作成の前に、測定データから作成したグラフや表を同一画面上に適宜配置し、それらの比較、検討を行うことが多い。本発明によると、このような比較・検討のために設定した画面のイメージを利用してテンプレート自動作成の基にすることができる。かかる場合には、レポートテンプレートの自動作成の基とするためだけに画面イメージを作成する必要もなくなり、レポートテンプレート作成の手間が更に軽減される。
【図面の簡単な説明】
【００１４】
【図１】本実施例に係る分析処理装置の概略構成を示すブロック図。
【図２】本実施例に係る分析処理装置における表示画面イメージの一例を示す図。
【図３】図２の画面イメージ図を基に本実施例に係る分析処理装置で自動作成されたテンプレートを示す図。
【図４】図３に示されたテンプレートを基に本実施例に係る分析処理装置で作成されたレポート図。
【図５】本実施例の変形例に係る分析処理装置におけるレポートオブジェクトの表示スタイル変更画面の一例を示す図。
【図６】本実施例の変形例に係る分析処理装置で作成されたレポートの一例を示す図。
【発明を実施するための形態】
【００１５】
以下、本発明の実施例について図１〜６を用いて説明する。
【実施例】
【００１６】
図１は本実施例にかかるフーリエ変換型赤外分光（FTIR:Fourier Transform Infrared Spectroscopy）装置の概略構成を示すブロック図である。
本実施例に係るＦＴＩＲ装置は、ＦＴＩＲ測定部１０、中央制御部２０、ユーザの指示を入力する入力部３０、データ等を記憶する記憶部４０、モニタ５０、及びプリンタ６０を備える。
【００１７】
本実施例にかかるＦＴＩＲ装置では、該ＦＴＩＲ装置の専用ソフトウェアが記憶部４０に格納されている。入力部３０からのユーザの指示によって該専用ソフトウェアが起動すると、中央制御部２０が測定制御部２１、図表作成部２２、画面イメージ作成部２３、及びレポート自動作成部２４として機能する。
【００１８】
ＦＴＩＲ測定部１０は、測定制御部２１の制御を受けて試料のＦＴＩＲ測定を行うものである。図表作成部２２は、ＦＴＩＲ測定部１０で得られた測定データからグラフ・表などの図表作成を行うものである。画面イメージ作成部２３は、入力部３０からのユーザの指示に従い、図表作成部２２で作成した図表の表示スタイルやサイズ、縦横比率などを設定し、これらの図表をモニタ５０上に適宜配置して画面イメージを作成するものである。
【００１９】
レポート自動作成部２４は、テンプレートを作成してデータを該テンプレートに流し込むことによってレポートを自動的に作成するものであり、テンプレート作成部２４１、レポート作成部２４２、及びレポート出力部２４３を有する。
【００２０】
テンプレート作成部２４１は、画面イメージ作成部２３により作成された画面イメージを反映し、予め設定されたレポート用紙のサイズ及び形状を基にレポートテンプレートを自動的に作成するものである。レポート作成部２４２は、テンプレート作成部２４１で自動的に作成されたレポートテンプレートにデータを流しこんでレポートを作成するものである。具体的には、記憶部４０に格納された、ＦＴＩＲ測定部１０による測定データの中から、レポート作成の対象とするデータがユーザにより選択されると、該データがレポートテンプレートに流し込まれ、同一テンプレートの複数のレポートが自動的に作成される。作成されたレポートは、レポート出力部２４３によってプリンタ６０で印刷される。
【００２１】
以下、本実施例にかかる分析処理装置が４つの試料Ｓ１〜Ｓ４に対してＦＴＩＲ分析を行い、その分析測定データに関するレポートを自動作成し、プリンタによって出力する手順について説明する。
【００２２】
入力部３０からユーザの指示が入力されると、測定制御部２１の制御に従ってＦＴＩＲ測定部１０が試料Ｓ１〜Ｓ４についてＦＴＩＲ測定を行う。ＦＴＩＲ測定の結果得られた測定データは、測定データファイルＭ１〜Ｍ４として記憶部４０に格納される。
【００２３】
次に、記憶部４０に保存された測定データファイルの中から一つのレポートに表示させる測定データファイルがユーザによって選択されると、図表作成部２２は選択されたデータファイルをもとにグラフや表等の作成を行う。本実施例では測定データＭ１〜Ｍ４が選択され、図表作成部２２がＭ１〜Ｍ４の吸収スペクトル（ｇｒａｐｈ１〜４）、及びＭ４の吸収スペクトルのピークの強度に関する表（ｔａｂｌｅ４）を作成している。
【００２４】
画面イメージ作成部２３は、図表作成部２２によって作成された４つの吸収スペクトル（ｇｒａｐｈ１〜４）と１つの表（ｔａｂｌｅ４）を同一画面上に表示し、それぞれのサイズや縦横比率、表示スタイル（グラフ軸のスケール、ピーク値の強度の表示の有無など）などを設定する。また、このようにして設定された各図表をレポートオブジェクトとしてモニタ５０上に図２のようにレイアウトし、画面イメージＩｍ１を作成する。作成された画面イメージＩｍ１は記憶部４０に保存することができる。
【００２５】
次に、本実施例のレポート自動作成部２４の動作について説明する。
本実施例のレポート自動作成プログラムは、（１）記憶部４０に保存された画面イメージを保持したテンプレートファイルを自動的に作成し、（２）自動的に作成されたレポートテンプレートを用いてレポートを作成し、（３）作成されたレポートをプリンタに出力してレポートの印刷を行うという機能を有する。これらについて以下に詳細を説明する。
【００２６】
（１）テンプレートファイルの作成
テンプレート作成部２４１は、記憶部４０に格納された画面イメージＩｍ１（図２）と、予めユーザによって設定されたレポート用紙のサイズを基に、画面イメージＩｍ１が保持されるように各オブジェクトの縦横サイズやオブジェクトのレイアウト位置を計算する。テンプレート作成部２４１は、計算された情報を基にレポート中の各オブジェクトの縦横サイズやレイアウト位置を規定するレポートテンプレートＴ１（図３参照）を自動的に作成する。作成されたレポートテンプレートＴ１は記憶部４０に格納される。
【００２７】
（２）レポートの作成
レポート作成部２４２は、記憶部４０に格納されたレポートテンプレートＴ１を読み出す。次にレポート作成部２４２は、入力部からのユーザの指定により、レポートに表示するオブジェクトの測定データＭ１〜Ｍ４を記憶部４０から読み出し、レポートテンプレートＴ１に流し込む。これにより、レポートテンプレートＴ１（図３）に基づいたレポートが自動的に作成される（図４参照）。
【００２８】
（３）レポートの出力
レポート作成部２４２によって作成されたレポートは、レポート出力部２４３によってプリンタ６０に出力され、レポート用紙に印刷される（図４参照）。
出力されたレポート（図４）を図２の画面イメージと比較すると、スペクトル（ｇｒａｐｈ１〜４）、及び表（ｔａｂｌｅ１）の大まかなレイアウトや表示スタイルといった画面イメージは保持されている。しかし、ｇｒａｐｈ１〜４、及びｔａｂｌｅ１の縦横比率やサイズはレポート用紙のサイズに合うように変更されている。
【００２９】
本実施例に係る分析処理装置によると、レポート作成部２４２で多数の測定データセットを読み出し、順次レポートテンプレートに流し込むことによって、同一テンプレートの複数のレポートを容易に作成することが可能になる。従って、ユーザはレポート作成の手間を大幅に省くことができる。
【００３０】
なお、上記実施例ではテンプレート作成部２４１で自動的に作成されたレポートテンプレートＴ１をそのまま利用してレポート作成を行ったが、上記実施例の第１の変形例として、レポート作成部２４２に、レポートテンプレートをユーザが適宜編集、保存する機能（テンプレート編集機能）を持たせることもできる。例えば、新たな項目を追加してレポート作成を行いたい場合や、レポートオブジェクトの編集を行いたい場合などである。その場合、記憶部４０に格納されたレポートテンプレートＴ１をレポート作成部２４２によって読み出して編集を行う。
これにより、既存のレポートテンプレートに新たな表示項目が追加された、又は既存のレポートテンプレートのレポートオブジェクトが編集された、新たなテンプレートが作成される。
【００３１】
また、上記実施例の第２の変形例として、自動的に作成されたレポートを編集する機能をレポート作成部２４２に持たせることもできる（レポート編集機能）。この機能は、各オブジェクトの表示スタイルを変更したり、新たにレポートに表示させる項目やオブジェクトを追加したりすることができる機能である。
【００３２】
具体的には、レポート作成部２４２は図５に示すような表示スタイル変更画面１００をモニタ５０に表示させ、レポートに表示させる項目やオブジェクトの追加をユーザに行わせることができる。該表示スタイル変更画面１００は、データに関する表示スタイル設定欄１０１と、その他の表示項目設定欄１０２を有する。本変形例では、データに関する表示スタイル設定欄１０１において、分析日時、分析者、サンプルＩＤなどを、その他の表示項目設定欄１０２では、ページ番号、総ページ数、印刷日時、コメントを設定することができる。
【００３３】
本変形例では、その他の表示項目設定欄１０２の中の『印刷日時』、及び『コメント欄』のチェックボックスがユーザによってチェックされているため、編集前のレポート（図４参照）が図６に示すようなレポートに変更されている。図６を図２及び図４と比較すると、スペクトル（ｇｒａｐｈ１〜４）、及び表（ｔａｂｌｅ４）の大まかなレイアウトや表示スタイルといった画面イメージは保持されているが、印刷日時の項目２０１やコメント欄２０２が新たに設けられている。それに伴い、各レポートオブジェクト（ｇｒａｐｈ１〜４、ｔａｂｌｅ４）のサイズや縦横比率も変更されている。また、ｔａｂｌｅ４ではテーブル化されている項目も変更されている。
さらに本変形例では、編集したレポート（図６）に対応したレポートテンプレートＴ２をユーザの指示によって作成することもできる。
【００３４】
なお、レポート編集機能には、図５の表示スタイル変更画面１００以外にも、グラフや表の属性を編集するためのグラフ属性編集画面や表属性編集画面を表示させることが可能であり、それぞれの画面でグラフ軸スケールや軸目盛り間隔、表の記載項目等の変更をすることができる。
【００３５】
本発明は上記の実施例や変形例に限定されるものではなく、本発明の趣旨の範囲内で適宜変更が許容される。
例えば、本実施例では測定機器がＦＴＩＲ装置となっているが、本発明は測定機器がＦＴＩＲ装置に限定されるものではなく、さまざまな試料測定機器で実現することができる。また、画面イメージ作成部で新たな項目をレポートオブジェクトとして表示させることも可能である。さらに、予めレポートの対象とするデータを選択しておけば、テンプレート作成からレポート出力までを自動で行うという設定にすることもできる。
【符号の説明】
【００３６】
１０…FTIR測定部
２０…中央制御部
２１…測定制御部
２２…図表作成部
２３…画面イメージ作成部
２４…レポート自動作成部
３０…入力部
４０…記憶部
５０…モニタ
６０…プリンタ
２４１…テンプレート作成部
２４２…レポート作成部
２４３…レポート出力部
【図１】
0005556164.tif 000002
【図２】
0005556164.tif 000003
【図３】
0005556164.tif 000004
【図４】
0005556164.tif 000005
【図５】
0005556164.tif 000006
【図６】
0005556164.tif 000007